(57)【要約】【課題】視野内に、歯科治療中の状況や歯科治療に関するデータを表示でき、視野と術野とを一致させることが可能であるとともに、患者も治療中あるいは処置中の状況を見ることができる医療用表示装置を提供する。【解決手段】医療用表示装置は、表示画面１０の少なくとも一部が透明表示画面で構成されており、術者と患者との間に配置可能に設けられる。透明表示画面には、患者の歯の撮像画像、該撮像画像の拡大または縮小画像、あるいは、患者の歯のＸ線透視画像を表示可能になっている。また、医療用表示装置には、光源２と撮像部３が設けられており、患者の口腔内を撮像部３で撮像し、その画像を表示画面１０に表示可能になっている。また、少なくとも透明表示画面の表裏両面にはタッチパネルセンサが設けられている。【選択図】図１
2015173848.tif 000002
【特許請求の範囲】
【請求項１】
表示画面の少なくとも一部が透明表示画面で構成され、術者と患者との間に配置可能に設けられることを特徴とする医療用表示装置。
【請求項２】
前記透明表示画面には、患者の歯の撮像画像、該撮像画像の拡大または縮小画像、患者の歯のＸ線透視画像、あるいは、使用機器の情報を表示することを特徴とする請求項１に記載の医療用表示装置。
【請求項３】
患者側に向けられる側に、光源と撮像部とが設けられていることを特徴とする請求項１または２に記載の医療用表示装置。
【請求項４】
前記光源は、白色光、単色光、赤外光および紫外光のうちのいずれか一つ以上の波長帯域の光を切り替えて出射しうることを特徴とする請求項３に記載の医療用表示装置。
【請求項５】
患者側に向けられる側に、距離センサが設けられており、該距離センサに患者が近づいた場合に、前記表示画面に衝突防止のための警告画面が表示されることを特徴とする請求項１〜４のいずれか１に記載の医療用表示装置。
【請求項６】
前記表示画面の少なくとも透明表示画面の領域の両面に透明タッチパネルセンサを有することを特徴とする請求項１〜５のいずれか１に記載の医療用表示装置。
【請求項７】
前記表示画面は、マルチウインドウ表示により、歯科治療機器の操作画面を表示することを特徴とする請求項６に記載の医療用表示装置。
【発明の詳細な説明】
【技術分野】
【０００１】
本発明は医療用表示装置に関し、詳しくは、少なくとも一部が透明表示画面で構成された歯科治療に好適な医療用表示装置に関する。
【背景技術】
【０００２】
近年、歯科治療においては、歯科治療中の状況、歯科治療に必要なデータ（例えば、患者の治療経過，参考症例等）、更には、患者の個人データ（例えば、名前，年齢，性別等）を表示するディスプレイを具備し、該ディスプレイを見ながら、あるいは、患者に説明しながら治療を行うことが行われている。また、顕微鏡によって患部の映像を拡大表示することによって治療を行うことも行われている。
【０００３】
例えば、特許文献１には、歯科用表示装置であって、被写体を角度調整自在な撮像部で拡大撮像しディスプレイに映写し、それを見ながら作業を行う歯科用表示装置が開示されている。また、特許文献２には、接眼タイプの顕微鏡を備えた医療用診療装置において、拡大像の少なくとも一部を顕微鏡の視野内で視認可能な状態にしたままで、複数の診療器具のうち、特定された少なくとも１つのものに関する情報を示す器具関連情報画像を、重ね合せ画像として視野内に表示させるものが開示されている
【先行技術文献】
【特許文献】
【０００４】
【特許文献１】実用新案登録第３１５２４２７号公報
【特許文献２】特開２０１３−１９０７６６号公報
【発明の概要】
【発明が解決しようとする課題】
【０００５】
しかしながら、特許文献１に開示された歯科用表示装置では、術者は治療中に歯科治療に必要な画像を見る場合に、視線あるいは顔をディスプレイの配置方向に向けなければならず、視線と術野がずれることから、診療効率を上げることはできなかった。また、歯科治療の場合に患者にディスプレイを見せる場合は、ディスプレイを患者の方へ向ける必要があるとともに、治療中の画像を術者と患者の両者が見られるようにディスプレイを配置することはできなかった。
【０００６】
また、特許文献２に開示された医療用診療装置では、術者は患部の画像とともに、視野内に所望の情報画像を表示させることは可能であるが、術者は、姿勢を正した上で目を接眼レンズに固定しなければならず、また、視線から外れた拡大像を見ながら治療を行う必要があることから、操作習熟のために相当の訓練を必要とした。さらに、術者は接眼レンズに目を固定して治療を行うため、長時間の治療は術者の疲労蓄積や筋肉痛の要因となっていた。
【０００７】
本発明は、これらの実情に鑑みてなされたものであり、視野内に、歯科治療中の状況や歯科治療に関するデータを表示でき、視野と術野とを一致させることが可能であるとともに、患者も治療中あるいは処置中の状況を見ることができる医療用表示装置を提供することをその目的とする。
【課題を解決するための手段】
【０００８】
上記課題を解決するために、請求項１の発明は、医療用表示装置であって、表示画面の少なくとも一部が透明表示画面で構成され、術者と患者との間に配置可能に設けられることを特徴とするものである。
【０００９】
請求項２の発明は、前記透明表示画面には、患者の歯の撮像画像、該撮像画像の拡大または縮小画像、患者の歯のＸ線透視画像、あるいは、使用機器の情報を表示することを特徴とするものである。
【００１０】
請求項３の発明は、請求項１または２の発明において、患者側に向けられる側に、光源と撮像部と光源が設けられていることを特徴とするものである。
【００１１】
請求項４の発明は、請求項３の発明において、前記光源は、白色光、単色光、赤外光および紫外光のうちのいずれか一つ以上の波長帯域の光を切り替えて出射しうることを特徴とするものである。
【００１２】
請求項５の発明は、請求項１〜４のいずれか１に記載の発明において、患者側に向けられる側に、距離センサが設けられており、該距離センサに患者が近づいた場合に、前記表示画面に衝突防止のための警告画面が表示されることを特徴とするものである。
【００１３】
請求項６の発明は、請求項１〜５のいずれか１の発明において、前記表示画面の少なくとも透明表示画面の領域の両面に透明タッチパネルセンサを有することを特徴とするものである。
【００１４】
請求項７の発明は、請求項６の発明において、前記表示画面は、マルチウインドウ表示により、歯科治療機器の操作画面を表示することを特徴とするものである。
【発明の効果】
【００１５】
本発明によれば、視野内に、歯科治療中の状況や歯科治療に関するデータを表示でき、視野と術野とを一致させることが可能であることから、術者は患部から視線をそらすことなく患者情報を得ることができ、患者も治療中あるいは処置中の状況を見ることが可能となる。また、患者側に設けた光源からの光の波長帯域を選択することにより、初期う蝕の状況を把握することができる。さらに、医療用表示装置の両面に透明タッチパネルセンサ（以下、タッチパネルセンサという）を有するため、術者と患者との間に医療用表示装置を配置した際に、両面からタッチパネルセンサを操作できるため、術者は効率よくタッチパネルセンサを操作でき、無駄な動きしなくて済む。また、治療中に飛散物が飛んだ場合も、術者に係ることがなくなるため、感染の恐れがなくなる。
【図面の簡単な説明】
【００１６】
【図１】本発明の医療用表示装置の一例を説明するための図である。
【図２】本発明の医療用表示装置の使用例を示す図である。
【図３】本発明の医療用表示装置を備えた歯科治療装置の一例を示すブロック図である。
【図４】本発明の医療用表示装置の他の例を説明するための図である。
【発明を実施するための形態】
【００１７】
以下、図面を参照しながら、本発明の医療用表示装置に係る好適な実施の形態について説明する。以下の説明において、異なる図面においても同じ符号を付した構成は同様のものであるとして、その説明を省略する場合がある。
図１は、本発明の医療用表示装置の一例を説明するための図であり、図１（Ａ）は医療用表示装置を表面側（術者側）から見た図であり、図１（Ｂ）は医療用表示装置を裏面側（患者）から見た図であり、さらに、図１（Ｃ）は医療用表示装置を側面から見た図である。また、図２は、本発明の医療用表示装置の使用例を示す図である。
【００１８】
図１において、医療用表示装置１は、表示画面１０の少なくとも一部が透明表示画面で構成されている。
ここで、透明表示画面は、透明ディスプレイあるいは透明表示装置に用いられており、表示画面そのものが一定程度の透過度をもち、画面の背景が透けて見える特徴をもつ表示画面のことをいう。例えば、有機ＥＬ表示装置は、自発光特性を持ち、装置内部の薄膜トランジスタや有機発光素子を透明な形態に作ることにより透明表示装置に形成できる。また、液晶表示装置も同様に、バックライト光源を設けない場合は、透明表示装置として使用できる。
【００１９】
本発明の医療用表示装置１は、図２で示すように、術者Ｘと患者Ｙとの間に配置された状態で使用することができる。この場合、医療用表示装置１の透明表示画面の部分に画像を表示しない場合は、術者Ｘは医療用表示装置１を介して患者Ｙの口腔内を見ることができる。また、透明表示画面の部分に画像を表示した場合は、術者Ｘのみならず患者Ｙも透明表示画面に表示した画像を見ることができる。ここで、医療用表示装置１の透明表示画面の領域は、医療用表示装置１の表示画面１０の少なくとも一部が透明表示画面であればよく、全体が透明表示画面から構成されていてもよい。換言すれば、医療用表示装置１の一部が不透明表示画面であってもよい。
【００２０】
図１に示す医療用表示装置１は、表示画面１０とベゼル（額縁）１１を有しており、表示画面１０の全体を透明表示画面で構成した場合に、治療に必要な種々の情報を表示した例を示すものである。医療用表示装置１は、患者側に向けられる裏面側（図１（Ｃ）では矢印Ｂで示す側）のベゼル１１に光源２、撮像部３、距離センサ４を備えている。光源２は、患者の口腔内を照明するためのものであり、図１に示す例では４つの光源２を備えている。そして、それぞれの光源２が白色光、単色光、赤外光および紫外光のうちのいずれか一つ以上の波長帯域の光を切り替えて出射できるようになっている。異なる波長の光で口腔組織を照明するようにしたことにより、組織を傷つけることなく、白色光では明確に観察できない、初期う蝕やプラークなどの発見を容易にしている。
【００２１】
撮像部３は一対のＣＣＤあるいはＣＭＯＳセンサに繋がるライトガイドから構成されている。このため、医療用表示装置１を患部に近づけた場合に、左右の方向から口腔内を撮影することが可能であり、また、２つの撮像部から得られた画像の画像処理を行うことにより３Ｄ画像データを得ることも可能にしている。そして、表示画面１０に、得られた３Ｄ画像データに基づく立体画像を表示してもよい。距離センサ４は、医療用表示装置１と患者の顔部との距離を計測するためのものであり、患者の顔部が医療用表示装置１に対して所定の所定値以下に近づいた場合に、表示画面１０に衝突防止のための警告画面を表示してもよく、また、後述するように警報音を出すようにしてもよい。
【００２２】
表示画面１０の少なくとも透明表示画像の領域には両面にタッチパネルセンサが設けられており、術者Ｘは透明表示画像の表面側（図１（Ｃ）では矢印Ａで示す側）と裏面側の両方からタッチパネルセンサを操作することが可能となっている。このため、術者Ｘは、医療用表示装置１を用いて治療や処置を行う際に、両手が患部の近くとなる医療用表示装置１の裏面側からタッチパネルセンサを操作することが可能となるため、術中にタッチパネルセンサセンサを操作する際に、医療用表示装置１の表面側まで手を回す必要がなく、効率よくタッチパネルセンサを操作でき、無駄な動きしなくて済む。
【００２３】
表示画面１０には、マルチウインドウ表示により種々の情報が表示可能となっている。図１に示す例では、５つのウインドウ（表示領域）１２〜１６が設けられており、ウインドウ１２には歯の拡大図、ウインドウ１３には患者のカルテ情報、ウインドウ１４には患者の歯のＸ線画像、ウインドウ１５には使用している椅子の状態と操作ボタン、ウインドウ１６には医療用表示装置１用の操作ボタンや使用しているインスツルメントの操作ボタンなどがそれぞれ表示されている。
【００２４】
ここで、例えば、ウインドウ１２に表示した歯の拡大図は、ハンドピース先端に設けた撮像手段からの得られた画像であってもよく、医療用表示装置１の撮像部３から得られた画像であってもよい。また、ウインドウ１２の所定の領域をタッチすることにより、画像の表示状態と非表示状態とを切り替えて、ウインドウ１２を通して直接患者の口腔内を見るようにしてもよい。表示非表示の切り換えは、他のウインドウについても同様である。また、ウインドウ１３に表示した患者のカルテ情報については、ドラッグ操作によってページ送りを行えるようにしておくことができる。さらに、ウインドウ１４のＸ線画像など拡大表示が必要な画像については、ピンチイン・ピンチアウトの縮小・拡大表示操作に応じて、任意の大きさで表示を行うようにすることができる。
【００２５】
ウインドウ１５に表示した矢印で示す操作ボタンあるいはウインドウ１６の操作ボタンをタッチした場合は、それぞれのボタンに応じて被操作機器を操作することができる。例えば、ウインドウ１５に表示した椅子のバックレスト部分の矢印をタッチすることにより、バックレストを倒したり起こしたりすることが可能であり、この動作に伴って、椅子の表示も変化するようにしておけばよい。また、ウインドウ１６の操作ボタンで、例えば、ライトをタッチした場合は、光源２あるいはハンドピースに設けた図示しない光源から出射される光が、順次、白色光、赤外光、紫外光、非照射の順序で切り替わるようにしておくことができる。また、カメラをタッチした場合は、撮像部３から取得した画像を所定のウインドウに表示することができるようにしている。そして、これらの操作は、医療用表示装置１の両面に設けたタッチパネルセンサのどちらの面からも可能にしておくことができる。
【００２６】
次に、本発明の医療用表示装置が用いられる歯科治療用装置について説明する。図３は、本発明の医療用表示装置を備えた歯科治療装置の一例を示すブロック図である。医療用表示装置１は、先述したように光源２、撮像部３、距離センサ４、および、タッチパネルセンサ５を有し、歯科治療装置の制御装置２０によって制御される。また、医療用表示装置１には、記憶部６が設けられており、撮像部３で撮った画像や動画を記憶しておくことができる。なお、記憶部６はＵＳＢメモリやＳＤメモリーカードなどの外部記憶媒体が接続できるようにしておいてもよい。なお、撮像部３で撮った画像や動画は、後述する制御装置２０の記憶部２４に記憶することもできる。制御装置２０は、ＣＰＵ、ＲＯＭ，ＲＡＭなどからなり歯科治療装置全体の制御を行う制御部２１、画像処理部２２、操作入力処理部２３、カルテ情報２５やＸ線画像情報２６を記憶した記憶部２４、インスツルメント操作処理部２７、体動検出部２８、通信部２９などを有している。
【００２７】
また、歯科治療装置は、医療用表示装置１、制御装置２０の他に、例えば、フットスイッチ３０、その他スイッチ３１、椅子３２、警報部３３、インスツルメント３４などの周辺装置を備えており、これらの周辺装置も制御部２１によって制御される。
【００２８】
例えば、制御部２１は、その他スイッチ３１からの所定の入力に応じて、記憶部２４から患者のカルテ情報２５やＸ線画像情報２６を読み出し、画像処理部２２に対して表示部１のウインドウ１３やウインドウ１４に、それぞれ患者情報（カルテ）の一部や歯のＸ線画像を表示させる。また、ウインドウ１５示した椅子の操作ボタンである矢印がタッチされた場合、操作入力処理部２３はタッチパネルセンサ５からのタッチ信号を受けて、制御部２１に対して椅子３２の所定の操作信号を出力し、制御部２１は椅子３２に設けたアクチュエータに対して所定の動作を行うように制御信号を出し、椅子をユーザが所望する状態にセットする。また、制御部２１は椅子３２に設けた図示しないセンサからの出力を受けて、椅子３２の状態情報を生成し、画像処理部２２を通じて表示装置１のウインドウ１５に椅子３２の状態を表示する。
【００２９】
画像処理部２２は、タッチパネルセンサ５や他のスイッチ３１からの所定の信号を受けて、先述したように、例えばウインドウ１２に画像を表示したり、あるいは非表示の状態にすることで、ウインドウ１２を通じて術者が患部を見たりできるようにしている。ここで、その他スイッチ３１は、タッチパネルセンサ５あるいはフットスイッチ３０以外のスイッチ機能を有する部材の総称として用いている。
【００３０】
医療用表示装置１に設けた距離センサ４は、表示装置１と患者との距離を計測するためのものであり、体動検出部２８は距離センサ４からの距離信号を受けて、患者が動いたかどうかを判別し、患者との距離が所定の距離以内に入った場合に、表示画面に衝突防止のための警告画面を表示したり、あるいは、警報部３３に設けたスピーカから警報音を鳴らすようにしている。
【００３１】
操作入力処理部２３は、例えば、医療用表示装置１のウインドウ１６に表示されたインスツルメントの操作ボタンがタッチされた場合や、あるいはフットスイッチ３０やその他スイッチ３１からのインスツルメントに関する操作信号を出された場合に、インスツルメント操作信号を生成し、インスツルメント操作処理部２７は操作入力処理部２３からのインスツルメント操作信号を受けて、所定のインスツルメントに対する操作信号を生成し、インスツルメント５を制御している。
【００３２】
また、通信部２９は制御装置２０以外の他の装置とのデータやコマンドのやり取りを行うためのものであり、他の装置との通信は無線あるいは有線で行うことできる。例えば、図示しないレントゲン装置からＸ線画像情報を受け取ったり、インスツルメント３４に対する制御信号や、表示装置１の各ウインドウの表示データ、あるいはタッチパネルセンサ５からのタッチ信号などを送受信している。また、歯科治療装置は通信部２９を介して、パソコンやインターネットなどとも接続可能としておき、ネット上からの情報を医療用表示装置１に表示することが可能である。
【００３３】
以上、本発明に係る医療用表示装置の一例について説明したが、医療用表示装置は、図４（Ａ）に示すように、例えば表示画面１０の下部を透明表示画面１７で構成し、上部を不透明表示部で構成してもよい。また、図４（Ｂ）に示すように、表示画面１０の中央部を透明表示画面１７で構成し、周辺部を不透明表示部１８で構成してもよい。いずれの場合も、タッチパネルセンサは透明表示画面１７の領域の表裏両面に設ければよい。そして、例えば、図１で示したウインドウ１３、１６などのように、患者側から見た場合に左右逆に表示されるような例えば文字情報を含む画像については、不透明表示部１８に表示すればよい。これにより、表示装置に表示された画像が患者に与える違和感をなくすことができる。
【００３４】
そして、歯の撮像画像やその拡大図、レントゲン装置によるＸ線画像は、上下左右の関係は患者からも見た場合も違和感のない方向に見えるため、患者の歯を実際に自己で確認させることが可能となる。また、実際の治療状況を患者に見せることも可能意であり、いわゆるインフォームドコンセント等に役立てることも可能である。
【符号の説明】
【００３５】
１…医療用表示装置、２…光源、３…撮像部、４…距離センサ、５…タッチパネルセンサ、６…記憶部、１０…表示画面、１１…ベゼル(額縁)、１２〜１６…ウインドウ、２０…制御装置、２１…制御部、２２…画像処理部、２３…操作入力処理部、２４…記憶部、２５…カルテ情報、２６…Ｘ線画像情報、２７…インスツルメント操作処理部、２８…体動検出部、２９…通信部、３０…フットスイッチ、３１…その他スイッチ、３２…椅子、３３…警報部、３４…インスツルメント。
【図１】
2015173848.tif 000003
【図２】
2015173848.tif 000004
【図３】
2015173848.tif 000005
【図４】
2015173848.tif 000006